(57)【要約】【課題】文字入力の効率を向上させることが可能な自動振り仮名登録方法、プログラム及び装置を提供する。【解決手段】第１読み仮名を入力させる第１入力工程と、入力された第１読み仮名を表示する第１表示工程と、変換操作が行われた際に、入力画面１１に表示されている第１読み仮名を、他の文字に変換する第１変換工程及び振り仮名領域に記憶する記憶工程と、第１読み仮名が所望の漢字に変換されていない場合に、第２読み仮名を入力させる第２入力工程と、入力された第２読み仮名を表示する第２表示工程と、変換操作が行われた際に、入力画面１１に表示されている第２読み仮名を漢字に変換する第２変換工程と、所望の漢字に変換されるまで、第２入力工程、第２表示工程、及び第２変換工程を繰り返す繰り返し工程と、記憶工程において記憶された第１読み仮名と、第２変換工程において変換された所望の漢字とを対応付けて登録する登録工程と、を備える。【選択図】      図２
2015153283.tif 000002
【特許請求の範囲】
【請求項１】
情報端末（５０，６０）に対してユーザにより第１読み仮名を入力させる第１入力工程と、
前記第１入力工程において入力された前記第１読み仮名を入力画面（１１）に表示する第１表示工程と、
前記第１表示工程の後に前記ユーザにより前記情報端末に対して変換操作が行われた際に、前記入力画面に表示されている前記第１読み仮名を他の文字に変換する第１変換工程と、
前記ユーザにより前記変換操作が行われた際に、前記入力画面に表示されている前記第１読み仮名を、前記ユーザが所望する所望の振り仮名として振り仮名領域（４３）に記憶する記憶工程と、
前記第１読み仮名が、前記ユーザが所望する所望の他の文字に変換されていない場合に、前記情報端末に対して前記ユーザにより第２読み仮名を入力させる第２入力工程と、
前記第２入力工程において入力された前記第２読み仮名を前記入力画面に表示する第２表示工程と、
前記第２表示工程の後に前記ユーザにより前記情報端末に対して変換操作が行われた際に、前記入力画面に表示されている前記第２読み仮名を他の文字に変換する第２変換工程と、
前記第２変換工程において前記所望の他の文字に変換されるまで、前記第２入力工程、前記第２表示工程、及び前記第２変換工程を繰り返す繰り返し工程と、
前記記憶工程において前記振り仮名領域に記憶された前記第１読み仮名と、前記第２変換工程において変換された前記所望の他の文字とを対応付けて前記情報端末に登録する登録工程と、を備えることを特徴とする自動振り仮名登録方法。
【請求項２】
前記繰り返し工程の後に前記ユーザによる全ての読み仮名の入力が終了したか否か判定する終了判定工程を備え、
前記終了判定工程において終了していないと判定された場合に、前記第１入力工程、前記第１表示工程、前記第１変換工程、前記記憶工程、前記第２入力工程、前記第２表示工程、前記第２変換工程、前記繰り返し工程、前記登録工程及び前記終了判定工程を行う請求項１に記載の自動振り仮名登録方法。
【請求項３】
前記繰り返し工程は、前記記憶工程から前記第２入力工程へ移行する際に、前記入力画面に表示されている前記第１読み仮名を削除する削除工程を含む請求項１又は２に記載の自動振り仮名登録方法。
【請求項４】
前記繰り返し工程は、前記繰り返し工程を実行中である旨を前記入力画面に表示する実行表示工程を含む請求項１〜３のいずれかに記載の自動振り仮名登録方法。
【請求項５】
情報端末（５０，６０）にインストールされるプログラムであって、
前記情報端末に対してユーザにより第１読み仮名を入力させる第１入力機能と、
前記第１入力機能により入力された前記第１読み仮名を入力画面（１１）に表示する第１表示機能と、
前記第１表示機能により表示された後に前記ユーザにより前記情報端末に対して変換操作が行われた際に、前記入力画面に表示されている前記第１読み仮名を他の文字に変換する第１変換機能と、
前記ユーザにより前記変換操作が行われた際に、前記入力画面に表示されている前記第１読み仮名を、前記ユーザが所望する所望の振り仮名として振り仮名領域（４３）に記憶する記憶機能と、
前記第１読み仮名が、前記ユーザが所望する所望の他の文字に変換されていない場合に、前記情報端末に対して前記ユーザにより第２読み仮名を入力させる第２入力機能と、
前記第２入力機能により入力された前記第２読み仮名を前記入力画面に表示する第２表示機能と、
前記第２表示機能により表示された後に前記ユーザにより前記情報端末に対して変換操作が行われた際に、前記入力画面に表示されている前記第２読み仮名を他の文字に変換する第２変換機能と、
前記第２変換機能により前記所望の他の文字に変換されるまで、前記第２入力機能、前記第２表示機能、及び前記第２変換機能の実行を繰り返す繰り返し機能と、
前記記憶機能により前記振り仮名領域に記憶された前記第１読み仮名と、前記第２変換機能により変換された前記所望の他の文字とを対応付けて前記情報端末に登録する登録機能と、を前記情報端末に実現させることを特徴とする自動振り仮名登録プログラム。
【請求項６】
前記繰り返し機能の実行の後に前記ユーザによる全ての読み仮名の入力が終了したか否か判定する終了判定機能を実現し、
前記終了判定機能により終了していないと判定された場合に、前記第１入力機能、前記第１表示機能、前記第１変換機能、前記記憶機能、前記第２入力機能、前記第２表示機能、前記第２変換機能、前記繰り返し機能、前記登録機能及び前記終了判定機能を実行する請求項５に記載の自動振り仮名登録プログラム。
【請求項７】
前記繰り返し機能は、前記記憶機能の実現から前記第２入力機能の実現へ移行する際に、前記入力画面に表示されている前記第１読み仮名を削除する削除機能を含む請求項５又は６に記載の自動振り仮名登録プログラム。
【請求項８】
前記繰り返し機能は、前記繰り返し機能の実現中である旨を前記入力画面に表示する実行表示機能を含む請求項５〜７のいずれかに記載の自動振り仮名登録プログラム。
【請求項９】
ユーザにより第１読み仮名を入力させる第１入力手段（７１）と、
前記第１入力手段により入力された前記第１読み仮名を入力画面（１１）に表示する第１表示手段（７２）と、
前記第１表示手段による表示の後に前記ユーザにより対して変換操作が行われた際に、前記入力画面に表示されている前記第１読み仮名を他の文字に変換する第１変換手段（７３）と、
前記ユーザにより前記変換操作が行われた際に、前記入力画面に表示されている前記第１読み仮名を、前記ユーザが所望する所望の振り仮名として振り仮名領域（４３）に記憶する記憶手段（７４）と、
前記第１読み仮名が、前記ユーザが所望する所望の他の文字に変換されていない場合に、前記ユーザにより第２読み仮名を入力させる第２入力手段（７５）と、
前記第２入力手段により入力された前記第２読み仮名を前記入力画面に表示する第２表示手段（７６）と、
前記第２表示手段による表示の後に前記ユーザにより変換操作が行われた際に、前記入力画面に表示されている前記第２読み仮名を他の文字に変換する第２変換手段（７７）と、
前記第２変換手段において前記所望の他の文字に変換されるまで、前記第２入力手段、前記第２表示手段、及び前記第２変換手段による処理を繰り返す繰り返し手段（７９）と、
前記記憶手段により前記振り仮名領域に記憶された前記第１読み仮名と、前記第２変換手段により変換された前記所望の他の文字とを対応付けて登録する登録手段（８０）と、を備えることを特徴とする自動振り仮名登録装置。
【請求項１０】
前記繰り返し手段による処理の後に前記ユーザによる全ての読み仮名の入力が終了したか否か判定する終了判定手段（８１）を備え、
前記終了判定手段により終了していないと判定された場合に、前記第１入力手段、前記第１表示手段、前記第１変換手段、前記記憶手段、前記第２入力手段、前記第２表示手段、前記第２変換手段、前記繰り返し手段、前記登録手段、及び前記終了判定手段による処理を行う請求項９に記載の自動振り仮名登録装置。
【請求項１１】
前記繰り返し手段は、前記記憶手段による処理から前記第２入力手段による処理へ移行する際に、前記入力画面に表示されている前記第１読み仮名を削除する削除手段を含む請求項９又は１０に記載の自動振り仮名登録装置。
【請求項１２】
前記繰り返し手段は、前記繰り返し手段による処理の実行中である旨を前記入力画面に表示する実行表示手段（７８）を含む請求項９〜１１のいずれかに記載の自動振り仮名登録装置。
【発明の詳細な説明】
【技術分野】
【０００１】
本発明は、入力された読み仮名を、変換された漢字の振り仮名として、自動的に登録する自動振り仮名登録方法、プログラム及び装置に関する。
【背景技術】
【０００２】
パソコンやモバイル端末の普及に伴い、パソコンやモバイル端末上の電話帳や住所録等に、氏名や住所を登録する際に用いられる様々な漢字変換方法が提案されている。その中には、入力された読み仮名を、漢字変換に連動して、自動的に振り仮名欄に登録する漢字変換方法もある。
【０００３】
例えば特許文献１に記載の姓名フリガナ−漢字変換方法では、姓名データの入力専用の姓辞書ファイル及び名辞書ファイルを利用し、入力されたフリガナを、辞書ファイルに登録されている複数の変換候補に含まれる漢字を組み合わせて変換している。そして、変換された漢字のフリガナとして、入力されたフリガナを自動的に登録している。
【先行技術文献】
【特許文献】
【０００４】
【特許文献１】特許第２７１０４４２号公報
【発明の概要】
【発明が解決しようとする課題】
【０００５】
上述したような漢字変換方法では、入力されたフリガナが、所望の漢字の一般的な読み方ではない場合などには、入力されたフリガナに対する漢字の変換候補に所望の漢字がないことがある。漢字の変換候補に所望の漢字がない場合には、所望の漢字の一般的な読み仮名を入力して、所望の漢字に変換しなければならない。この場合、振り仮名欄には、後から入力した読み仮名が登録されるため、振り仮名欄を所望の振り仮名に訂正しなければならい。それゆえ、文字入力の効率が悪いという問題がある。
【０００６】
本発明は、上記実情に鑑み、文字入力の効率を向上させることが可能な自動振り仮名登録方法、プログラム及び装置を提供することを主たる目的とする。
【課題を解決するための手段】
【０００７】
上記課題を解決するため、請求項１に記載の発明は、自動振り仮名登録方法であって、情報端末に対してユーザにより第１読み仮名を入力させる第１入力工程と、前記第１入力工程において入力された前記第１読み仮名を入力画面に表示する第１表示工程と、前記第１表示工程の後に前記ユーザにより前記情報端末に対して変換操作が行われた際に、前記入力画面に表示されている前記第１読み仮名を他の文字に変換する第１変換工程と、前記ユーザにより前記変換操作が行われた際に、前記入力画面に表示されている前記第１読み仮名を、前記ユーザが所望する所望の振り仮名として振り仮名領域に記憶する記憶工程と、前記第１読み仮名が、前記ユーザが所望する所望の他の文字に変換されていない場合に、前記情報端末に対して前記ユーザにより第２読み仮名を入力させる第２入力工程と、前記第２入力工程において入力された前記第２読み仮名を前記入力画面に表示する第２表示工程と、前記第２表示工程の後に前記ユーザにより前記情報端末に対して変換操作が行われた際に、前記入力画面に表示されている前記第２読み仮名を他の文字に変換する第２変換工程と、前記第２変換工程において前記所望の他の文字に変換されるまで、前記第２入力工程、前記第２表示工程、及び前記第２変換工程を繰り返す繰り返し工程と、前記記憶工程において前記振り仮名領域に記憶された前記第１読み仮名と、前記第２変換工程において変換された前記所望の他の文字とを対応付けて前記情報端末に登録する登録工程と、を備える。
【０００８】
請求項１に記載の発明によれば、情報端末に対してユーザにより入力された第１読み仮名が入力画面に表示される。そして、ユーザにより変換操作された際に、入力画面に表示されている第１読み仮名が、他の文字に変換されるとともに、ユーザが所望する所望の振り仮名として振り仮名領域に記憶される。
【０００９】
さらに、第１読み仮名が所望の漢字に変換されていない場合に、ユーザにより入力された第２読み仮名が入力画面に表示され、ユーザにより変換ボタンが操作された際に、入力画面に表示されている第２読み仮名が他の文字に変換される。そして、所望の他の文字に変換されるまで、第２読み仮名の入力、表示、及び変換が繰り返し実行される。そして、第２読み仮名が所望の漢字に変換されると、振り仮名領域に記憶されている第１読み仮名と、変換された所望の漢字とが対応付けられて登録される。
【００１０】
よって、ユーザが所望の振り仮名を第１読み仮名として入力すれば、第１読み仮名を所望の他の文字に変換できない場合でも、第１読み仮名を所望の振り仮名として記憶できる。その後、ユーザが、所望の他の文字の一般的な読み仮名を第２読み仮名として入力すれば、第２読み仮名を所望の他の文字を変換できるとともに、所望の他の文字に対応付けて所望の振り仮名を自動的に登録できる。したがって、所望の他の文字の変換に用いた第２読み仮名が、自動的に振り仮名として登録されないため、ユーザが自動的に登録された振り仮名を訂正する必要がなく、文字入力の効率を向上させることができる。
【００１１】
また、請求項５に記載の発明は、情報端末にインストールされるプログラムであって、前記情報端末に対してユーザにより第１読み仮名を入力させる第１入力機能と、前記第１入力機能により入力された前記第１読み仮名を入力画面に表示する第１表示機能と、前記第１表示機能により表示された後に前記ユーザにより前記情報端末に対して変換操作が行われた際に、前記入力画面に表示されている前記第１読み仮名を他の文字に変換する第１変換機能と、前記ユーザにより前記変換操作が行われた際に、前記入力画面に表示されている前記第１読み仮名を、前記ユーザが所望する所望の振り仮名として振り仮名領域に記憶する記憶機能と、前記第１読み仮名が、前記ユーザが所望する所望の他の文字に変換されていない場合に、前記情報端末に対して前記ユーザにより第２読み仮名を入力させる第２入力機能と、前記第２入力機能により入力された前記第２読み仮名を前記入力画面に表示する第２表示機能と、前記第２表示機能により表示された後に前記ユーザにより前記情報端末に対して変換操作が行われた際に、前記入力画面に表示されている前記第２読み仮名を他の文字に変換する第２変換機能と、前記第２変換機能により前記所望の他の文字に変換されるまで、前記第２入力機能、前記第２表示機能、及び前記第２変換機能の実行を繰り返す繰り返し機能と、前記記憶機能により前記振り仮名領域に記憶された前記第１読み仮名と、前記第２変換機能により変換された前記所望の他の文字とを対応付けて前記情報端末に登録する登録機能と、を前記情報端末に実現させる。
【００１２】
請求項５に記載の発明によれば、情報端末にインストールされるプログラムによって、請求項１と同様の効果を奏する。なお、請求項５のプログラムを記録したプログラム記録媒体として、発明を実現することもできる。
【００１３】
また、請求項９に記載の発明は、自動振り仮名登録装置であって、ユーザにより第１読み仮名を入力させる第１入力手段と、前記第１入力手段により入力された前記第１読み仮名を入力画面に表示する第１表示手段と、前記第１表示手段による表示の後に前記ユーザにより変換操作が行われた際に、前記入力画面に表示されている前記第１読み仮名を他の文字に変換する第１変換手段と、前記ユーザにより前記変換操作が行われた際に、前記入力画面に表示されている前記第１読み仮名を、前記ユーザが所望する所望の振り仮名として振り仮名領域に記憶する記憶手段と、前記第１読み仮名が、前記ユーザが所望する所望の他の文字に変換されていない場合に、前記ユーザにより第２読み仮名を入力させる第２入力手段と、前記第２入力手段により入力された前記第２読み仮名を前記入力画面に表示する第２表示手段と、前記第２表示手段による表示の後に前記ユーザにより変換操作が行われた際に、前記入力画面に表示されている前記第２読み仮名を他の文字に変換する第２変換手段と、前記第２変換手段において前記所望の他の文字に変換されるまで、前記第２入力手段、前記第２表示手段、及び前記第２変換手段による処理を繰り返す繰り返し手段と、前記記憶手段により前記振り仮名領域に記憶された前記第１読み仮名と、前記第２変換手段により変換された前記所望の他の文字とを対応付けて登録する登録手段と、を備える。
【００１４】
請求項９に記載の発明によれば、自動振り仮名登録装置によって、請求項１と同様の効果を奏する。
【図面の簡単な説明】
【００１５】
【図１】カーナビ装置の構成を示す図。
【図２】制御装置の機能ブロック図。
【図３】電話帳の氏名入力画面を示す図。
【図４】第１実施形態に係る電話帳の氏名・ふりがな確認画面を示す図。
【図５】第１実施形態に係る氏名入力画面の文字表示欄を示す図。
【図６】第１実施形態に係る氏名入力画面の文字表示欄、及び振り仮名記憶領域を示す図。
【図７】第１実施形態に係る当て字入力操作の実施態様を示す図。
【図８】当て字入力操作を行った場合の従来の振り仮名記憶領域を示す図。
【図９】第１実施形態に係る電話帳に氏名を登録する処理手順を示すフローチャート。
【図１０】第１実施形態に係る当て字入力操作の処理手順を示すフローチャート。
【図１１】第２実施形態に係る電話帳の氏名・ふりがな確認画面を示す図。
【図１２】第２実施形態に係る氏名入力画面の文字表示欄を示す図。
【図１３】第２実施形態に係る当て字入力操作の処理手順を示すフローチャート。
【図１４】他の実施形態に係る自動振り仮名登録装置を示す図。
【図１５】他の実施形態に係る当て字入力操作の処理手順を示すフローチャート。
【発明を実施するための形態】
【００１６】
以下、自動振り仮名登録方法を車両に搭載されるカーナビ装置に適用した各実施形態について、図面を参照しつつ説明する。なお、以下の各実施形態相互において、互いに同一もしくは均等である部分には、図中、同一符号を付しており、同一符号の部分についてはその説明を援用する。
【００１７】
（第１実施形態）
まず、図１を参照して、本実施形態に係るカーナビ装置５０（情報端末、自動振り仮名登録装置）の構成について説明する。カーナビ装置５０は、表示装置１０、操作スイッチ群２０、外部メモリ５１、位置検出器５２、音声入出力装置５３及び制御装置４０を備える。
【００１８】
表示装置１０は、液晶ディスプレイ、有機ＥＬ（Electro Luminescence）ディスプレイ等を含んだタッチパネルディスプレイである。表示装置１０は、住所録や電話帳の入力画面、及びナビゲーション画面等の各種画面を表示する。操作スイッチ群２０は、表示装置１０と一体になったタッチスイッチ、及びメカニカルスイッチであり、各種入力に使用される。
【００１９】
位置検出器５２は、ＧＰＳ（Global Positioning System）衛星からのＧＰＳ信号を受信する受信機や、各種センサ等から構成される。後述する制御装置４０は、ＧＰＳ受信信号及び各種センサの検出値から、車両の現在位置を算出するとともに、現在位置から目的地までの誘導経路を算出する。外部メモリ５１は、ハードディスクやＳＤカード等であり、住所録、電話帳、走行履歴等が記憶される。
【００２０】
音声入出力装置５３は、住所録や電話帳の呼び出しや目的地を指示するユーザの音声を認識して、制御装置４０へ出力する。また、音声入出力装置５３は、制御装置４０により算出された現在位置及び誘導経路を用いて、ユーザを誘導する音声を出力する。
【００２１】
制御装置４０は、ＣＰＵ４１、ＲＯＭ４２、ＲＡＭ４３及びＩ／Ｏ等を備えたコンピュータとして構成されている。ＣＰＵ４１が、ＲＯＭ４２にインストールされているプログラム（自動振り仮名登録プログラム）を実行することにより、図２に示す各種手段を実現する。
【００２２】
第１入力手段７１（第１入力機能）は、図３に示すカーナビ装置５０の氏名入力画面１１（入力画面）に対して、ユーザにより第１読み仮名を入力させる。第１読み仮名は、ユーザが登録したい漢字や英字に対応させて登録したい振り仮名である。例えば、ユーザが、「獣王」の振り仮名として「らいおん」を登録したい場合は、第１読み仮名は「らいおん」になる。第１表示手段７２(第１表示機能)は、第１入力手段７１により入力された第１読み仮名を、入力画面１１の文字表示欄１２に表示する。
【００２３】
第１変換手段７３（第１変換機能）は、第１表示手段７２により氏名入力画面１１に第１読み仮名が表示された後に、ユーザによりカーナビ装置５０に対して変換操作が行われた際に、氏名入力画面１１に表示されている第１読み仮名を他の文字に変換する。第１読み仮名がひらがなの場合、他の文字は漢字、英字、カタカナとなる。
【００２４】
記憶手段７４（記憶機能）は、ユーザにより変換操作が行われた際に、氏名入力画面１１に表示されている第１読み仮名を、ユーザが所望する所望の振り仮名として、ＲＡＭ４３の振り仮名領域に記憶する。
【００２５】
第２入力手段７５（第２入力機能）は、第１読み仮名が、ユーザが所望する所望の他の文字に変換されていない場合に、カーナビ装置５０に対してユーザにより第２読み仮名を入力させる。例えば、第２入力手段７５は、ユーザが、第１読み仮名である「らいおん」を変換操作して、所望する「獣王」に変換できなかった場合に、第２読み仮名を入力させる。この場合、ユーザは、文字表示欄１２から「らいおん」を削除し、一般的な漢字変換エンジンで用いられている辞書に、登録されている可能性が高い「獣王」の読み仮名、例えば「けものおう」を第２読み仮名として入力する。第２表示手段７６（第２表示機能）は、第２入力手段７５により入力された第２読み仮名を、氏名入力画面１１の文字表示欄１２に表示する。
【００２６】
第２変換手段７７（第２変換機能）は、第２入力手段７５により氏名入力画面１１に第２読み仮名が表示された後、ユーザによりカーナビ装置５０に対して変換操作が行われた際に、氏名入力画面１１に表示されている第２読み仮名を他の文字に変換する。
【００２７】
繰り返し手段７９（繰り返し機能）は、第２変換手段７７により第２読み仮名が所望の他の文字に変換されるまで、第２入力手段７５、第２表示手段７６、及び第２変換手段７７による処理を繰り返し行う。本実施形態では、第２入力手段７５、第２表示手段７６、及び第２変換手段７７による処理を、当て字入力操作という。すなわち、所望の振り仮名以外の読み仮名であって、所望の他の文字の一般的な読み仮名を入力して、所望の他の文字に変換する操作を当て字入力操作という。実行表示手段７８（実行表示機能）は、繰り返し手段による処理の実行中、すなわち当て字入力操作中に、当て字入力操作である旨を氏名入力画面１１に表示する。
【００２８】
登録手段８０（登録機能）は、記憶手段７４により振り仮名領域に記憶された第１読み仮名と、第２変換手段７７により変換された所望の他の文字とを対応付けて、カーナビ装置５０のＲＡＭ４３又は外部メモリ５１に登録する。例えば、ユーザが、第１読み仮名として「らいおん」を入力し、第２変換手段７７により所望の漢字「獣王」に変換された場合には、「獣王」の振り仮名として「らいおん」が対応付けて登録される。
【００２９】
次に、電話帳に氏名を登録する処理手順について、図９のフローチャートを参照しつつ説明する。本処理は、ユーザによる操作に対応して制御装置４０が実行する。本処理は、図４に示すように、氏名「日本  獣王」とふりがな「にっぽん  らいおん」とを対応させて、電話帳に登録することを想定している。
【００３０】
まず、ユーザは、表示装置１０に電話帳の氏名入力画面１１を表示させ、氏名入力モードを開始する。そして、ユーザは、図３に示すように、入力画面１１に表示された文字アイコン２４を押して、読み仮名「にっぽん」（第１読み仮名）を入力する（Ｓ１０）。これにより、図５（ａ）に示すように、入力画面１１の文字表示欄１２には「にっぽん」が表示される。読み仮名「にっぽん」は、ユーザが所望する氏「日本」の振り仮名である。
【００３１】
続いて、入力画面１１に表示されたアイコンである変換ボタン２１が、ユーザにより押されたか否か、すなわち、ユーザにより「にっぽん」の変換操作が行われたか否か判定する（Ｓ１１）。押されていない場合は（Ｓ１１：ＮＯ）、Ｓ１０の処理に戻る。ユーザは、「にっぽん」の入力ミスをした場合に、変換ボタン２１を押さずに、Ｓ１０に戻って入力操作を行う。
【００３２】
一方、ユーザにより変換ボタン２１が押された場合には（Ｓ１１：ＹＥＳ）、変換ボタン２１が押された際に、文字表示欄１２に表示されている「にっぽん」を、一般的な変換辞書を用いて、ひらがな以外の他の文字に変換する。これにより、「にっぽん」は「日本」に変換され、図５（ｂ）に示すように、文字表示欄１２には「日本」が表示される。
【００３３】
さらに、ユーザにより変換ボタン２１が押された場合には（Ｓ１１：ＹＥＳ）、変換ボタン２１が押された際に、文字表示欄１２に表示されている「にっぽん」を、ユーザが所望する正規の振り仮名と判定して、氏の振り仮名領域に記憶する（Ｓ１２）。
【００３４】
続いて、ユーザにより、氏名入力画面１１に表示されたアイコンである決定ボタン２２が押されたか、修正ボタン２３が押されたか判定する。Ｓ１１の処理で所望の漢字に変換された場合には、ユーザは、決定ボタン２２を押して変換を確定する。一方、Ｓ１１の処理で所望の漢字に変換されなかった場合には、ユーザは、修正ボタン２３を押して、変換をやり直す。本実施形態では、Ｓ１１の処理で、ユーザが所望する漢字「日本」に変換されているので、ユーザは決定ボタン２２を押す。よって、Ｓ１３では、決定ボタン２２が押されたと判定して、Ｓ１５の処理に進む。なお、Ｓ１３において、ユーザにより修正ボタン２３が押された場合には、Ｓ１４の当て字入力操作へ進む。Ｓ１４の当て字入力操作は、後述するＳ２０の当て字入力操作と同様に行う。
【００３５】
次に、ユーザにより、氏名入力画面１１に表示されたアイコンであるスペースボタン２５が押され、文字表示欄１２にスペースが挿入されたか否か判定する（Ｓ１５）。ユーザは、氏の入力操作を完了し、名の入力操作に移行したい場合には、文字表示欄１２の「日本」の隣にスペースを挿入する。本実施形態では、Ｓ１３の処理で氏の入力操作を完了しているので、ユーザはスペースを挿入する。よって、スペースが挿入されたと判定して（Ｓ１５：ＹＥＳ）、氏を「日本」に確定し、氏「日本」と振り仮名「にっぽん」を登録する。なお、スペースが挿入されていない場合には（Ｓ１５：ＮＯ）、Ｓ１３の処理に戻る。
【００３６】
続いて、ユーザは、読み仮名「らいおん」（第１読み仮名）を入力する（Ｓ１６）。これにより、図６（ａ）に示すように、入力画面１１の文字表示欄１２には、「日本  らいおん」が表示される。読み仮名「らいおん」は、ユーザが所望する名「獣王」の振り仮名である。
【００３７】
続いて、ユーザにより変換ボタン２１が押されたか否か判定する（Ｓ１７）。押されていない場合には（Ｓ１７：ＮＯ）、Ｓ１６の処理に戻る。一方、ユーザにより変換ボタン２１が押された場合には（Ｓ１７：ＹＥＳ）、変換ボタン２１が押された際に、文字表示欄１２に表示されている読み仮名「らいおん」を、一般的な変換辞書を用いて、ひらがな以外の他の文字に変換する。一般的な変換辞書では、「らいおん」の変換候補に「獣王」は存在せず、「らいおん」は「ライオン」に変換され、図６（ｂ）に示すように、文字表示欄１２に「日本  ライオン」が表示される。
【００３８】
さらに、ユーザにより変換ボタン２１が押された場合には（Ｓ１７：ＹＥＳ）、変換ボタン２１が押された際に、文字表示欄１２に表示されている読み仮名「らいおん」を、ユーザが所望する正規の振り仮名と判定して、図６（ｃ）に示すように、名の振り仮名領域に記憶する（Ｓ１８）。ここで、ユーザが間違えて「らいえん」と入力した後、「らいおん」に修正した場合でも、変換ボタン２１が押された際に表示されている読み仮名が、振り仮名領域に記憶される。そのため、振り仮名領域には、所望の振り仮名である「らいおん」が記憶され「らいえん」は記憶されない。なお、一般的に、振り仮名領域には「らいおん」がＪＩＳ等の規定コードで記憶されるが、図６（ｃ）では便宜上ひらがなで「らいおん」を表示している。
【００３９】
続いて、ユーザにより、決定ボタン２２が押されたか、修正ボタン２３が押されたか判定する（Ｓ１９）。本実施形態では、Ｓ１７で所望の漢字「獣王」に変換されていないので、ユーザは、修正ボタン２３を押す。よって、Ｓ１９では、修正ボタン２３が押されたと判定して、当て字入力操作（Ｓ２０）に進む。当て字に入力操作の詳しい処理手順については、後で説明する。なお、Ｓ１９で決定ボタン２２が押されている場合には、Ｓ１７で変換された漢字、及びＳ１８で振り仮名領域に記憶した振り仮名を登録して、Ｓ２１の処理に進む。
【００４０】
続いて、当て字入力操作が終了すると、図４に示すような氏名・ふりがな確認画面１３を表示させる（Ｓ２１）。氏名・ふりがな確認画面１３のふりがな欄１４には、「にっぽん  らいおん」が表示される。これにより、ユーザは、所望の漢字と所望の振り仮名を登録できたことを確認できる。
【００４１】
続いて、氏名・ふりがな確認画面１３に表示されたアイコンである決定ボタン３２が押されたか、ふりがな修正ボタン３１が押されたか判定する（Ｓ２２）。ユーザは、氏名・ふりがな確認画面１３のふりがな欄１４に、所望の振り仮名が表示されている場合には、決定ボタン３２を押す。この場合、決定ボタン３２が押されたと判定して、氏名入力モードを終了する。
【００４２】
一方、ユーザは、ふりがな欄１４に表示されている振り仮名を修正したい場合には、ふりがな修正ボタン３１を押す。この場合、ふりがな修正ボタン３１が押されたと判定して、ふりがな入力画面（図示なし）に移行する。続いて、ユーザは、ふりがな入力画面でふりがなの修正入力を行う（Ｓ２３）。続いて、ユーザにより、ふりがな入力画面に表示されたアイコンである決定ボタンが押されたか判定する（Ｓ２４）。ユーザにより決定ボタンが押されていない場合には（Ｓ２４：ＮＯ）、Ｓ２３の修正入力操作に戻る。ユーザにより決定ボタンが押された場合には（Ｓ２４：ＹＥＳ）、氏名入力モードを終了する。
【００４３】
次に、当て字入力操作の処理手順について、図１０のフローチャートを参照して説明する。まず、ユーザによりＳ１９で修正ボタン２３が押されたことにより、図７（ａ）に示すように、氏名入力画面１１に「当て字操作中？」のコメントを表示させる（Ｓ２０１）。これにより、ユーザは、これ以降の入力操作において、入力した読み仮名が振り仮名として記憶されないことを認識できるため、安心して入力操作を行うことができる。
【００４４】
続いて、ユーザは、氏名入力画面１１の文字表示欄１２から「らいおん」を消去して、「獣」の一般的な読み仮名「けもの」（第２読み仮名）を入力する。これにより、図７（ａ）に示すように、文字表示欄１２には「日本  けもの」が表示される。続いて、ユーザにより変換ボタン２１が押されると、変換ボタン２１が押された際に、文字表示欄１２に表示されている読み仮名「けもの」が「獣」に変換され、図７（ｂ）に示すように、文字表示欄１２には「日本  獣」が表示される（Ｓ２０２）。「けもの」から「獣」に一度で変換できなかった場合は、ユーザは、次候補ボタン２６を操作して次の候補に変換させ、最終的に「獣」に変換させる。
【００４５】
ここでは、当て字入力操作中であるため、「けもの」は、振り仮名領域には記憶されない、又は、一旦記憶された後、所望の漢字及び所望の振り仮名を登録する前に、振り仮名領域から削除される。
【００４６】
続いて、ユーザにより決定ボタン２２が押されたか否か判定する（Ｓ２０３）。本実施形態では、ユーザにより、続けて「王」の一般的な読み仮名「おう」（第２読み仮名）が入力されるため、決定ボタン２２が押されていないと判定し（Ｓ２０３：ＮＯ）、Ｓ２０２の処理に戻る。ユーザにより読み仮名「おう」が入力されると、図７（ｃ）に示すように、文字表示欄１２に「日本  獣おう」が表示される。続いて、ユーザにより変換ボタン２１が押されると、変換ボタン２１が押された際に、文字表示欄１２に表示されている読み仮名「おう」が「王」に変換され、図７（ｄ）に示すように、文字表示欄１２には「日本  獣王」が表示される（Ｓ２０２）。
【００４７】
ここでも、当て字入力操作中であるため、「おう」は振り仮名領域には記憶されない、又は、一旦記憶された後、振り仮名領域から削除される。
【００４８】
以上で読み仮名がユーザの所望する漢字「獣王」に変換されたので、ユーザは決定ボタン２２を押す。ユーザにより決定ボタン２２が押されると、決定ボタン２２が押されたと判定し（Ｓ２０３：ＹＥＳ）、所望の漢字「獣王」とＳ１８で振り仮名領域に記憶した振り仮名「らいおん」とを、カーナビ装置５０に登録する。
【００４９】
続いて、氏名入力画面１１の「当て字操作中？」のコメントを非表示にし（Ｓ２０４）、当て字入力操作を終了して、Ｓ２１の処理に進む。なお、Ｓ２１で、氏名・ふりがな確認画面１３に移行し、ユーザにより決定ボタン３２が押された後、所望の漢字「日本  獣王」、及び所望の振り仮名「にっぽん  らいおん」をカーナビ装置５０に登録してもよい。
【００５０】
従来の漢字変換エンジンでは、図８（ａ）に示すように、氏名入力モードに移行してから、最初に変換ボタン２１が押された以後に、文字表示欄１２に表示された読み仮名「けものおう」も、振り仮名領域に記憶される。そのため、図８（ｂ）に示すように、氏名・ふりがな確認画面１３のふりがな欄１４には、「にっぽん  らいおんけものおう」と表示される。よって、ユーザは、「らいおんけものおう」から「けものおう」を消去する訂正をしなければならず、手間がかかる。これに対して、本実施形態では、氏名入力モードに移行してから、最初に変換ボタン２１が押された以後に、文字表示欄１２に表示された読み仮名は振り仮名領域に記憶されないため、振り仮名の訂正の手間が省ける。
【００５１】
なお、Ｓ１０及びＳ１６が第１入力工程及び第１表示工程に相当し、Ｓ１１及びＳ１７が第１変換工程に相当し、Ｓ１２及びＳ１８が記憶工程に相当する。また、Ｓ２０２が第２入力工程、第２表示工程及び第２変換工程に相当し、Ｓ２０２及びＳ２０３が繰り替えし工程に相当する。また、Ｓ１５、Ｓ１９、及びＳ２０３が登録工程に相当し、Ｓ２０１〜Ｓ２０４が実行表示工程に相当する。
【００５２】
以上説明した第１実施形態によれば、以下の効果を奏する。
【００５３】
・ユーザが所望の振り仮名「らいおん」を入力し、最初に変換ボタン２１押す際に、文字表示欄１２に「らいおん」が表示されていれば、読み仮名「らいおん」を所望の漢字「獣王」に変換できない場合でも、「らいおん」を所望の振り仮名として記憶できる。その後、ユーザが、所望の漢字「獣王」の一般的な読み仮名「けもの」及び「おう」を入力すれば、「けもの」及び「おう」を所望の漢字「獣王」に変換できるとともに、所望の漢字「獣王」に対応付けて所望の振り仮名「らいおん」を自動的に登録できる。したがって、所望の漢字「獣王」の変換に用いた「けものおう」が、自動的に振り仮名として登録されないため、ユーザが自動的に登録された振り仮名を訂正する必要がなく、文字入力の効率を向上させることができる。
【００５４】
・当て字入力操作を実行中である旨が氏名入力画面１１に表示されることにより、ユーザは、振り仮名として登録されない読み仮名の入力を行っていることを認識できる。
【００５５】
（第２実施形態）
次に、第２実施形態について、第１実施形態と異なる点について説明する。第２実施形態では、図２の破線で示すように、制御装置４０は、終了判定手段８１（終了判定機能）を実現する。
【００５６】
例えば、ユーザが、所望の漢字「獣王皇帝」に対応させて振り仮名「らいおんきんぐ」を登録したい場合に、所望の振り仮名として「らいおんきんぐ」を一度に入力してから、第１実施形態のように、順次当て字で漢字に変換していけば、最終的に「獣王皇帝」に変換することはできる。しかしながら、第１実施形態では、所望の振り仮名を「らいおん」と「きんぐ」とに分割して入力し、「獣王皇帝」を「獣王」と「皇帝」とに分割して変換する入力操作には対応できない。
【００５７】
そこで、終了判定手段８１は、繰り返し手段７９による処理の後に、ユーザによる全ての読み仮名の入力が終了したか否か判定する。そして、制御装置４０は、終了判定手段８１により終了していないと判定された場合には、第１入力手段７１、第１表示手段７２、第１変換手段７３、記憶手段７４、第２入力手段７５、第２表示手段７６、第２変換手段７７、実行表示手段７８、登録手段８０による処理を実行する。
【００５８】
具体的には、第１実施形態と同様に、所望の振り仮名として「らいおん」を入力した後、当て字入力操作を行って「獣王」に変換する。その後、終了判定手段８１は、ユーザによる全ての読み仮名の入力が終了したか否か判定する。終了判定手段８１が終了していないと判定した場合には、第１入力手段７１による処理に戻り、ユーザに、所望の振り仮名「きんぐ」を入力させ、当て字入力操作を行って「皇帝」に変換する。
【００５９】
次に、図１１に示すように、氏名「日本  獣王皇帝」と、ふりがな「にっぽん  らいおんきんぐ」とを対応させて、電話帳に登録する処理手順について説明する。第２実施形態では、図１０に示す当て字入力操作のフローチャートの代わりに、図１３に示す当て字入力操作のフローチャートを用いる。図１３のフローチャートにおいて、Ｓ４０１〜Ｓ４０３の処理は、図１０のフローチャートにおけるＳ２０１〜Ｓ２０３の処理と同様に行う。
【００６０】
「日本  獣王」までの入力操作は、第１実施形態と同様に行う。読み仮名が「獣王」に変換され、ユーザにより決定ボタン２２が押されると、決定ボタン２２が押されたと判定され（Ｓ４０３：ＹＥＳ）、次に、ユーザにより決定ボタン２２が押されたか、読み仮名入力が継続されたか判定される（Ｓ４０４）。
【００６１】
ユーザは、「獣王」で入力操作を終了する場合には、決定ボタン２２を押す。これにより、Ｓ４０４において、決定ボタン２２が押されたと判定され、第１実施形態と同様に、当て字入力操作を終了して、Ｓ２１の処理に進む。
【００６２】
本実施形態では、ユーザは、続けて読み仮名「きんぐ」（第２読み仮名）を入力するため、Ｓ４０４において、読み仮名入力継続と判定され、Ｓ１６の処理に戻る。そして、図１２（ａ）に示すように、文字表示欄１２に「日本  獣王きんぐ」と表示する。
【００６３】
続いて、ユーザにより変換ボタン２１が押されると（Ｓ１７：ＹＥＳ）、変換ボタン２１が押された際に、文字表示欄１２に表示されている読み仮名「きんぐ」を、一般的な変換辞書を用いて、ひらがな以外の他の文字に変換する。これにより、「きんぐ」は「キング」に変換され、図１２（ｂ）に示すように、文字表示欄１２には、「日本  獣王キング」と表示される。
【００６４】
続いて、変換ボタン２１が押された際に、文字表示欄１２に表示されている読み仮名「きんぐ」を、ユーザが所望する振り仮名と判定して、名の振り仮名領域に記憶する（Ｓ１８）。
【００６５】
続いて、ユーザにより修正ボタン２３が押されたことを判定し（Ｓ１９）、当て字入力操作に進む。具体的には、第１実施形態と同様に、所望する漢字「皇帝」の一般的な読み仮名「こうてい」（第２読み仮名）を入力して、「皇帝」に変換する（Ｓ４０２）（図１２（ｃ），（ｄ）参照）。
【００６６】
続いて、ユーザにより決定ボタン２２が押されたことにより（Ｓ４０３：ＹＥＳ）、所望の漢字「皇帝」と、Ｓ１８で振り仮名領域に記憶した「きんぐ」とを登録する。以上で、ユーザは、読み仮名を所望の名「獣王皇帝」に変換できたので、全ての読み仮名入力を終了するため、決定ボタン２２を押す。これにより、Ｓ４０４において、決定ボタン２２が押されたと判定され、当て字入力操作を終了して、Ｓ２１の処理に進む。なお、Ｓ４０４の処理が、終了判定工程に相当する。本実施形態では、氏名の登録の処理手順について説明したが、住所の登録も同様に漢字群を分割して行うことができる。
【００６７】
以上説明した第２実施形態によれば、以下の効果を奏する。
【００６８】
・ユーザによるすべての読み仮名の入力が終了したか否か判定され、終了していない場合には、所望の振り仮名として記憶される読み仮名の入力から、入力が終了したか否か判定するまでの処理が実行される。よって、登録したい漢字が長い漢字群から構成されている場合でも、長い漢字群を複数の漢字群に分割し、漢字群ごとに所望の振りとの対を自動的に登録できる。さらに、漢字群が長いほど、ユーザが自動的に登録された振り仮名を訂正する手間が省け、文字入力の効率を向上させることができる。
【００６９】
・当て字入力操作中である旨を氏名入力画面１１に表示させることにより、ユーザは、振り仮名として登録されない読み仮名の入力操作を行っていることを、認識できる。また、振り仮名として登録される読み仮名の入力操作に戻った場合には、戻ったことを認識しやすい。
【００７０】
（他の実施形態）
・Ｓ１９の処理で、ユーザにより修正ボタン２３が押されたと判定した場合に、「らいおん」（第１読み仮名）を削除する削除工程（削除手段、削除機能）を備えてもよい。すなわち、第１読み仮名を振り仮名領域に記憶する工程（Ｓ１２，Ｓ１８）から、第２読み仮名の入力工程（Ｓ１４，Ｓ２０）へ移行する際に、文字表示欄１２に表示されている第１読み仮名を自動的に削除するようにしてもよい。このようにすれば、ユーザが第１読み仮名を削除する手間が省けるとともに、削除すべきでないものを誤って削除するおそれがない。
【００７１】
・第２実施形態において、ユーザにより決定ボタン２２が２回押されると、当て字入力操作を終了していたが、ユーザにより１回目と２回目で異なるボタンが押されたことで、当て字入力操作を終了してもよい。例えば、氏名入力画面１１に部分決定のアイコンを表示させ、Ｓ４０３の処理では、部分決定ボタンが押されたか否かを判定し、Ｓ４０４の処理では、決定ボタン２２が押されたか否かを判定するようにしてもよい。
【００７２】
・ユーザにより所定のボタン（例えば♯）が押されたことにより、当て字入力中であること、すなわち、ユーザにより入力された読み仮名が、振り仮名領域に記憶すべき読み仮名ではないことを判定するようにしてもよい。この場合、例えば、Ｓ２０１及びＳ４０１の処理で、「当て字操作中？」のコメントに、「当て字入力する場合は♯を押して下さい」のコメントを追加して表示させるとよい。また、この場合、♯ボタンが押されたことにより、文字表示欄１２に表示されている第１読み仮名を自動的に削除してもよい。
【００７３】
・さらに、Ｓ４０５の処理において、所定のボタン（例えば＊）が押されたことにより、当て字入力モードから、読み仮名を振り仮名として記憶する通常入力モードに復帰するようにしてもよい。この場合、変換ボタン２１が押されて読み仮名「けもの」が「獣」に変換された際に、「当て字入力を終了する場合は＊を押して下さい。続行する場合はそのまま入力を続けて下さい」と、氏名入力画面１１に表示させるとよい。ここでは、ユーザは、続けて「おう」と入力して変換ボタン２１を押す。そして、「おう」が「王」に変換された際にも、上記表示をさせる。次に、ユーザは、「きんぐ」を入力するため、＊ボタンを押して一旦当て字入力操作を終了し、Ｓ１６の処理に進む。このようにすることにより、ユーザは、当て字入力モードで入力操作を行っているのか、通常入力モードで入力操作を行っているか、確実に認識できる。
【００７４】
・自動振り仮名登録装置は、カーナビ装置に限らず、スマートフォン、タブレット端末、パソコン、携帯電話等の日本語入力が可能な情報端末であれば何でもよい。図１４に、携帯電話６０を自動振り仮名登録装置とした例を示す。携帯電話６０では、操作用のアイコンを自在に設定できない。そこで、例えば、携帯電話で一般的に具備されている♯キー６１を決定ボタンの代替とする。図１５に、携帯電話６０において、当て字入力操作を行う処理手順を示す。ここでは、＊キー６２が押されたことにより、当て字入力モードから通常モードに復帰する。
【００７５】
・当て字入力操作中に、当て字入力操作中である旨を氏名入力画面１１に表示しなくてもよい。
【符号の説明】
【００７６】
１１…氏名入力画面、４０…制御装置、７１…第１入力手段、７２…第１表示手段、７３…第１変換手段、７４…記憶手段、７５…第２入力手段、７６…第２表示手段、７７…第２変換手段、８０…登録手段。
【図１】
2015153283.tif 000003
【図２】
2015153283.tif 000004
【図３】
2015153283.tif 000005
【図４】
2015153283.tif 000006
【図５】
2015153283.tif 000007
【図６】
2015153283.tif 000008
【図７】
2015153283.tif 000009
【図８】
2015153283.tif 000010
【図９】
2015153283.tif 000011
【図１０】
2015153283.tif 000012
【図１１】
2015153283.tif 000013
【図１２】
2015153283.tif 000014
【図１３】
2015153283.tif 000015
【図１４】
2015153283.tif 000016
【図１５】
2015153283.tif 000017